(57)【要約】 【課題】  非接触式ＩＣタグを活用し、位置測定データを、後日その場所の情報を機器により確認することができ、汎用性と先の非接触式ＩＣタグのデータを活用できる位置情報記録管理方法を得る。    【解決手段】  ＧＰＳ（全地球測位システム）受信器２と、非接触式ＩＣタグリーダライタ３とを携帯端末１に付加し、また、非接触式ＩＣタグを、複数の境界標、あるいは複数の標識に、それぞれ１個以上を埋め込んで貼り付け、前記非接触式ＩＣタグに、前記境界標、あるいは標識の位置データを前記非接触式ＩＣタグリーダライタ３から書き込む位置情報記録管理方法とする。       【選択図】  図１
2006292464.tif 000002
【特許請求の範囲】
【請求項１】
全地球測位システム測定部と、非接触式ＩＣタグリーダライタ とを機器に付加し、また、非接触式ＩＣタグを、複数の境界標、あるいは複数の標識に、それぞれ１個以上を配置し、前記非接触式ＩＣタグに、前記個々の境界標の位置データ、あるいは標識の位置データを、前記非接触式ＩＣタグリーダライタから書き込むことを特徴とする位置情報記録管理方法。       
【請求項２】
前記機器は、携帯端末であって、画面表示部を有しており、近傍の地図のデータが、画面表示され、前記複数の境界標、あるいは複数の標識が前記地図上に表示されることを特徴とする請求項１に記載の位置情報記録管理方法。 
【請求項３】
前記機器は、測量機器であって、前記測量機器には、測量を行うための光学系部分を有し、また、地面への固定のための三脚を有することを特徴とする請求項１に記載の位置情報記録管理方法。
【発明の詳細な説明】
【技術分野】
【０００１】
本発明は、土地の区画整理やダム建設、道路工事等、各種建設工事において、場所を特定する為に、境界標や測量点となる標識を埋設する時に非接触式ＩＣタグを用いて測量したデータの記録管理を行うのに好適な非接触式ＩＣタグを用いた位置情報記録管理方法に関する。
【背景技術】
【０００２】
従来、土地の境界を示す境界標や、各種工事現場においての測量点となる標識は、通常、石やコンクリート、金属等により作られ丈夫に境界となる目印が彫り込まれて設置され、測量データは紙面に記録または電子ファイルにて記録されていた。
【０００３】
特許文献１には、建設現場内の任意の場所に、ＩＣタグが貼り付けられ、現場の作業者が、前記ＩＣタグから、建設に関する情報を得る建設作業支援システムについて、記載されている。特許文献２には、位置ＩＤを保有するＩＣラベルを、所定の位置に設置し、これによって、全地球測位システムＧＰＳ（global  positioning  system）が使用できない場所でも、位置情報を得る事ができる位置関連情報取得方法および装置について、記載されている。
【０００４】
【特許文献１】特開２００１−１４０４６７号公報
【特許文献２】特開２００２−２２８４８１号公報
【発明の開示】
【発明が解決しようとする課題】
【０００５】
前記のように、従来の測量点となる標識、あるいは設置されただけの境界標の場合、隣合う境界標の位置が分からなかったり、測量した位置を確認する場合、図面、地図等の書類から前記測量点あるいは境界標の情報を探し出す必要性があった。また、工事現場においては、基準とする詳細な位置情報を即座に知りたい時に膨大な地図あるいは図面等の書類の中から探し出しす必要性があった。
【０００６】
また、特許文献１の建設作業支援システムでは、 ＩＣタグに、データを投入する場合は、あらかじめ、書き込み用のカードリーダを用いて、順番に各ＩＣタグに書き込みをしていくので、一連のＩＣタグの書き込みを終了しないと建設作業支援システムを利用できないという問題点があった。
【０００７】
また、特許文献２の位置関連情報取得方法および装置では、同じくＩＣラベルに、データを投入する場合は、あらかじめ、書き込み用のカードリーダが、各ＩＣラベルに順番に書き込みをするので、一連のＩＣラベルの書き込みの終了後でないと位置関連情報取得方法および装置を利用できないという問題点があった。
【０００８】
本発明の課題は、非接触式ＩＣタグを活用し位置測定データを境界標あるいは標識にリアルタイムに記録でき、また、後日、その場所の情報を取り出すことできる、汎用性を持った位置情報記録管理方法を提供することである。
【課題を解決するための手段】
【０００９】
前述した問題を解決するために、本発明では、場所の位置関係（座標）を測量し記録して、携帯可能なパーソナルコンピュータ等の携帯端末と測量器又はＧＰＳ（global posistioning system：全地球測位システム）機能を備えたデバイスと非接触式ＩＣタグに対して書き込みと読み込みを行う機能を備えたデバイスから構成された機器を使用し、測量した位置情報データを境界標や測量点となる標識に貼り付け又は組み込んだ非接触式ＩＣタグへ書き込みを行う。
【００１０】
書き込み後、位置情報を記録した非接触式ＩＣタグ付きの標識を埋設することで、後日その場所の情報を前記の機器により確認することが可能となる。
【００１１】
即ち、本発明は、全地球測位システム（ＧＰＳ）測定部と、非接触式ＩＣタグリーダライタ とを機器に付加し、また、 非接触式ＩＣタグを、複数の境界標、あるいは複数の標識に、それぞれ１個を配置し、前記非接触式ＩＣタグに、前記個々の境界標の位置データ、前記個々の標識の位置データを、前記非接触式ＩＣタグリーダライタから書き込む位置情報記録管理方法である。       
【００１２】
また、本発明は、前記機器は、携帯端末であって、画面表示部を有しており、近傍の地図のデータが画面表示され、前記標識が、前記地図上に、複数表示される位置情報記録管理方法である。 
【００１３】
また、本発明は、前記機器は測量機器であって、前記測量機器には、測量を行うための光学系部分を有し、また、地面への固定のための三脚を有する位置情報記録管理方法である。
【発明の効果】
【００１４】
本発明の位置情報記録管理方法によれば、場所の位置関係（座標）を測量し記録するために、携帯可能なパーソナルコンピュータ等の携帯端末と測量器又はＧＰＳ機能を備えたデバイスと非接触式ＩＣタグに対して書き込みと読み込みを行う機能を備えた非接触式ＩＣタグリーダライタから構成された機器を使用し、測量した位置情報データを境界標や、測量点となる標識に貼り付け又は組み込み等により配置した非接触式ＩＣタグへ書き込みを行い、位置情報を記録した非接触式ＩＣタグ付きの標識を埋設することで、後日その場所の情報を前記機器により即座に確認することが可能となる。  
【００１５】
本発明によれば、非接触式ＩＣタグを活用し、位置測定データを境界標あるいは標識にリアルタイムに記録でき、後日その場所の情報を取り出すことできる、汎用性を持った位置情報記録管理方法を提供できる。    
【発明を実施するための最良の形態】
【００１６】
本発明に係る位置情報記録管理方法は、土地の区画整理やダム建設、道路工事等、各種建設工事において使用するのに好適な位置情報記録管理方法である。非接触式ＩＣタグを、複数の境界標、あるいは複数の標識に、それぞれ１個以上を埋め込み、または貼り付ける等により配置し、前記非接触式ＩＣタグを配置するのと同時に、前記境界標、あるいは標識の位置データを機器の非接触式ＩＣカードリーダから、前記非接触式ＩＣタグに転送する。
【００１７】
ここで、前記機器の形式として、以下の例が上げられる。まず、その一つは、 前記機器が携帯端末の場合であって、この携帯端末は、ＧＰＳ測定部と、非接触式ＩＣタグリーダライタと、画面表示部とを有しており、前記画面表示部は、機器の位置する場所の近傍の地図のデータが画面表示され、かつ、前記複数の境界標、あるいは複数の標識が、前記地図上に表示される。    
【００１８】
ここで、前記携帯端末の非接触式ＩＣタグリーダライタを利用して、前記境界標、あるいは標識の位置データを、その場所にて、即座に非接触式ＩＣタグに転送し、あるいは読み出すことができる。
【００１９】
また、他の例では、前記機器は測量機器であって、前記測量機器には測量を行うための光学系部分を有し、また、ＧＰＳ測定部と、非接触式ＩＣタグリーダライタと、地面への固定のための三脚を有している。                  
【００２０】
この場合も同じく、測量機器に配置された非接触式ＩＣタグリーダライタを利用して、前記境界標、あるいは標識の位置データを、その場所にて、即座に非接触式ＩＣタグに転送あるいは読み出しすることができる。
【００２１】
なお、機器としては、前述の携帯端末、あるいは測量機器に限られるものではなく、他の例でも良い。
【００２２】
（実施の形態１）
図１は、本発明の実施の形態１による位置情報記録管理方法にて使用されるＧＰＳ受信機と、非接触式ＩＣタグ書き込み読み取りデバイスが付加された携帯端末の説明図である。
【００２３】
図１において、携帯端末１にはＧＰＳ受信器２と非接触式ＩＣタグリーダライタ３が付加され、携帯端末１には、前記の各デバイスを制御し測量したデータを電子ファイルとして保存するアプリケーションソフトが組み込まれている。また、後から地図や図面を作成するために、携帯端末１には保存したデータを他の機器（例としてパーソナルコンピュータ等）に転送するためのインターフェイスを有する。インターフェイスとしては、ＲＳ２３２Ｃ、ＵＳＢ等のシリアル通信の他に赤外線通信、無線ＬＡＮ等も兼ね備えていても良い。
【００２４】
（実施の形態２）   
図２は、本発明の実施の形態２による位置情報記録管理方法にて使用される制御部と、ＧＰＳ受信機と、非接触式ＩＣタグリーダライタで構成された測量器の説明図である。  
【００２５】
図２において、測量器４に制御部５が組み込まれている。制御部５には、非接触式ＩＣタグリーダライタ６がスパイラル状のインターフェイスケーブル８を介して接続されている。これによって、非接触式ＩＣタグに対して書き込み読み取りを行う場合の取り扱い範囲に、ある程度自由があり、地面に設置してある標識に対して測量器を三脚から外したりしなくても読み取り、書き込みができるように工夫されている。また、屋外で使用するため機器全体が防水性及び対じん性構造になっている。    
【００２６】
ここで、制御部５には前記の各デバイスを制御し測量したデータを電子ファイルとして保存するアプリケーションソフトが組み込まれている。制御部５には、外部機器とデータのやりとりを行うためのインターフェイスを備えている。インターフェイスとしては、ＲＳ２３２Ｃ、ＵＳＢ等のシリアル通信の他に赤外線通信、無線ＬＡＮ等も兼ね備えていても良い。尚、設置した標識から位置情報を読み取るために制御部５と非接触式ＩＣタグリーダライタ６又は非接触式ＩＣタグリーダライタ６の部分が取り外し可能な構造になっており、後日、場所の確認を行う時に携帯が楽になる工夫がされている。また、非接触式ＩＣタグリーダライタ６を取り外して非接触式ＩＣタグに書き込みを行っても良い。
【００２７】
図３は、非接触式ＩＣタグが貼り付けられた基準点標識の説明図である。図３において、基準点標識９の上部には基点となるマークがあり、その周辺に非接触式ＩＣタグ１０が貼り付けられている。基準点標識９は屋外で風雨にさらされるので、防錆処理を施した金属製かコンクリートで製作されている。非接触式ＩＣタグ１０は、測定データや個別のＩＤ等を格納するためのメモリや、書き込み読み取りデバイスと通信を非接触で行うためのインターフェイスを有し、これらを制御する制御部から構成される。インターフェイスとしては、電磁誘導方式、無線方式等いくつかあるが、非接触式の利便性があればどちらでも良い。但し、電池の交換等後々のメンテナンスを考えると電池を組み込まない非接触式ＩＣタグが望ましい。また、耐候性に優れた樹脂で覆われた構造が良い。
【００２８】
図４は、実際に図１の機器を使用して測量を行い位置情報データを書き込んだ非接触式ＩＣタグ付きの基準点を示す標識を設置した工事現場の例を示す図である。また、図５は、本発明の位置情報記録管理方法における作業フローの説明図である。ここで、非接触式ＩＣタグを組み込んだ基準点は、図５のフローの手順で作成される。まず、基点となる場所を決めて携帯端末１に組み込まれたＧＰＳ（受信器）２にて位置情報を取得し、そのデータを非接触式ＩＣタグリーダライタ３を介して書き込みを行う。非接触式ＩＣタグリーダライタ内部では、書き込みデータが間違いないか、前記非接触式ＩＣタグからデータを読み込み、確認を行っている。書き込み後、基準点標識９を設置する。また、基準点標識９を設置してから、その位置を測量して位置情報データを非接触式ＩＣタグ書き込んでも良い。
【００２９】
以上で一つの基準点標識９の作製が完了となり、測量データは必要に応じて図面に記録する。また、後で各種地図、図面等を作成する場合は、携帯端末１が有するインターフェイスを介して外部の機器にデータを転送を行うことで可能である。非接触式ＩＣタグ１０から読み取ったデータの例を図６に示す。また、非接触式ＩＣタグ１０には、この他に測量を行った際の所定の基準点からの相対的な位置情報も記録しておいて良い。尚、位置情報の精度を上げたい場合は、高精度のＧＰＳ受信機を使用する。また、図２の測量器を使用した場合も同様の手順にて作業を行う。
【産業上の利用可能性】
【００３０】
本発明の位置情報記録管理方法は、地図の作製の現場作業、あるいは、建設現場の工事の進捗管理、その他、位置情報を必要とする場所にて、使用できるものである。
【図面の簡単な説明】
【００３１】
【図１】本発明の実施の形態１による位置情報記録管理方法にて使用されるＧＰＳ受信機と、非接触式ＩＣタグ書き込み読み取りデバイスが付加された携帯端末の説明図。
【図２】本発明の実施の形態２による位置情報記録管理方法にて使用される携帯端末とＧＰＳ受信機と非接触式ＩＣタグ書き込み読み取りデバイスで構成された測量器の説明図。
【図３】非接触式ＩＣタグが貼り付けられた基準点標識の説明図。
【図４】位置情報データを書き込んだ非接触式ＩＣタグ付きの基準点を示す標識を設置した工事現場の例の説明図。
【図５】本発明の位置情報記録管理方法における作業フローの説明図。
【図６】標識から読み取った位置情報データの例の説明図。
【符号の説明】
【００３２】
１    携帯端末
２    ＧＰＳ受信器
３    非接触式ＩＣタグリーダライタ
４    測量器
５    制御部
６    非接触式ＩＣタグリーダライタ
７    三脚
８    スパイラル状のインターフェイスケーブル
９    基準点標識
１０    非接触式ＩＣタグ
９１    非接触式ＩＣタグ付き基準点標識
９２    非接触式ＩＣタグ付き基準点標識
９３    非接触式ＩＣタグ付き基準点標識
【図１】
2006292464.tif 000003
【図２】
2006292464.tif 000004
【図３】
2006292464.tif 000005
【図４】
2006292464.tif 000006
【図５】
2006292464.tif 000007
【図６】
2006292464.tif 000008